(57)【要約】【課題】機能性を高め得るようにする。【解決手段】施封小束支払機３は、所定枚数の紙幣が紙帯で結束された紙幣小束を外部から受け入れる入出金口４０と、受け入れた紙幣小束の紙帯の状態を認識する認識部５４と、認識部５４の認識結果に基づく情報を表示するディスプレイ１０と、紙幣小束を収納する小束金庫５６と、認識部５４の認識結果に基づいて紙幣小束が小束金庫５６に収納できるか否かを判別し、紙幣小束が小束金庫５６に収納できない入金リジェクト小束であると判別した場合、紙幣小束を外部へ返却させると共に、ディスプレイ１０に紙幣小束の返却に関する情報を表示させる制御部３０とを設けるようにした。【選択図】図６
2015125625.tif 000002
【特許請求の範囲】
【請求項１】
所定枚数の媒体が帯で結束された小束を外部から受け入れる小束受入口と、
受け入れた前記小束の前記帯の状態を認識する認識部と、
前記認識部の認識結果に基づく情報を表示する表示部と、
前記小束を収納する小束収納庫と、
前記認識部の認識結果に基づいて前記小束が前記小束収納庫に収納できるか否かを判別する判別部と、
前記判別部において前記小束が前記小束収納庫に収納できない小束であると判別された場合、前記小束を外部へ返却させると共に、前記表示部に前記小束の返却に関する情報を表示させる制御部と
を有する小束処理装置。
【請求項２】
前記制御部は、前記小束に対する前記帯の状態が適正でないと前記認識部が認識した場合、帯が適正な状態ではない旨を前記表示部に表示させる
請求項１に記載の小束処理装置。
【請求項３】
前記制御部は、前記小束に対する前記帯の状態を適正にすることをオペレータに促す旨を前記表示部に表示させる
請求項２に記載の小束処理装置。
【請求項４】
前記制御部は、前記小束に対する前記帯の位置が適正な位置でないと前記認識部が認識した場合、帯の位置が適正ではない旨を前記表示部に表示させる
請求項２に記載の小束処理装置。
【請求項５】
前記制御部は、前記小束のセット方向が反対方向であると前記認識部が認識した場合、小束のセット方向が誤っている旨を前記表示部に表示させる
請求項４に記載の小束処理装置。
【請求項６】
前記制御部は、前記小束に対する前記帯の位置を適正な位置に修正した小束を前記小束受入口に再度投入する旨を前記表示部に表示させる
請求項４に記載の小束処理装置。
【請求項７】
前記制御部は、前記小束のセット方向を反対向きにして前記小束受入口に再度投入する旨を前記表示部に表示させる
請求項５に記載の小束処理装置。
【請求項８】
前記制御部は、前記小束に前記帯が結束されていないと前記認識部が認識した場合、帯が結束されていない旨を前記表示部に表示させる
請求項２に記載の小束処理装置。
【請求項９】
前記制御部は、前記小束に前記帯が結束されていないと前記認識部が認識した場合、帯が結束されていない旨を前記表示部に表示させた後に、前記小束処理装置内に残留した媒体の確認を促す旨の表示を前記表示部に表示させる
請求項８に記載の小束処理装置。
【請求項１０】
前記制御部は、前記小束処理装置及び前記小束を示すイラストを前記表示部に表示させる
請求項３に記載の小束処理装置。
【発明の詳細な説明】
【技術分野】
【０００１】
本発明は、小束処理装置に関し、例えば紙幣を所定枚数単位で施封して収納及び出金する施封小束支払機に適用して好適なものである。
【背景技術】
【０００２】
従来、出納システムは、金融機関内等に設置されており、例えば紙幣を入出する紙幣入出金機や紙幣を所定枚数ごとに施封する施封小束支払機等、紙幣や硬貨の取引に関する種々の処理を行う複数種類の装置の組み合わせにより構成されている。
【０００３】
施封小束支払機は、紙幣を所定枚数（例えば１００枚）単位で紙帯により施封して、これを紙幣小束として小束金庫に収納したり、出金したりできるようになされている（例えば、特許文献１参照）。
【０００４】
このような施封小束支払機においては、オペレータが入出金口から入金した紙幣小束が、入金に適さない入金リジェクト紙幣小束であると認識した場合、当該紙幣小束を入出金口からオペレータへ返却するものがある。
【先行技術文献】
【特許文献】
【０００５】
【特許文献１】特開２００５−１５７７５９号公報
【発明の概要】
【発明が解決しようとする課題】
【０００６】
このような施封小束支払機は、入金リジェクト紙幣小束を入出金口からオペレータへ返却するのみであったため、オペレータは、投入した紙幣小束が何故返却されたのかが認識しにくかった。
【０００７】
本発明は以上の点を考慮したもので、機能性を高め得る小束処理装置を提案しようとするものである。
【課題を解決するための手段】
【０００８】
かかる課題を解決するため本発明の小束処理装置においては、所定枚数の媒体が帯で結束された小束を外部から受け入れる小束受入口と、受け入れた小束の帯の状態を認識する認識部と、認識部の認識結果に基づく情報を表示する表示部と、小束を収納する小束収納庫と、認識部の認識結果に基づいて小束が小束収納庫に収納できるか否かを判別する判別部と、判別部において小束が小束収納庫に収納できない小束であると判別された場合、小束を外部へ返却させると共に、表示部に小束の返却に関する情報を表示させる制御部とを設けるようにした。
【０００９】
この小束処理装置は、投入した小束が返却された要因を容易にオペレータに認識させることができる。
【発明の効果】
【００１０】
本発明によれば、投入した小束が返却された要因を容易にオペレータに認識させることができ、かくして本発明は、機能性を高め得る小束処理装置を実現できる。
【図面の簡単な説明】
【００１１】
【図１】出納システムの全体構成を示す斜視図である。
【図２】施封小束支払機の内部構成を示す右側面図である。
【図３】引出状態の施封小束支払機の内部構成を示す右側面図である。
【図４】施封された状態の紙幣小束を示す斜視図である。
【図５】入金処理手順（１）を示すフローチャートである。
【図６】入金処理手順（２）を示すフローチャートである。
【図７】投入誘導画面を示す略線図である。
【図８】投入状態異常検知画面を示す略線図である。
【図９】小束セット方向間違い検知画面を示す略線図である。
【図１０】対象外金種装填検知画面を示す略線図である。
【図１１】紙帯位置不良検知画面を示す略線図である。
【図１２】識別不可検知画面を示す略線図である。
【図１３】紙帯なし検知画面を示す略線図である。
【図１４】紙幣点検誘導画面を示す略線図である。
【図１５】ユニット引出誘導画面を示す略線図である。
【図１６】点検箇所誘導画面を示す略線図である。
【図１７】ユニットセット誘導画面を示す略線図である。
【図１８】小束金庫フル検知画面を示す略線図である。
【発明を実施するための形態】
【００１２】
以下、発明を実施するための形態について、図面を用いて詳細に説明する。
【００１３】
［１．実施の形態］
［１−１．出納システムの構成］
図１において、出納システム１は、例えば金融機関の営業店において図示しない接客用カウンタの後方に設置され、金銭に関する入金や出金等の各種処理を総合的に実行するようになされている。
【００１４】
出納システム１は、紙幣入出金機２、施封小束支払機３、紙幣補充回収機４、新券支払機５、棒金支払機６、硬貨入出金機７、認証プリンタ８、現金外ポスト９、制御装置１２及び操作表示部１３を有している。
【００１５】
紙幣入出金機２は、紙幣を１枚単位で入出金する。施封小束支払機３は、金種別の紙幣を所定枚数（例えば１００枚）毎に施封して紙幣小束にした状態で収納し、また当該紙幣小束を出金する。
【００１６】
紙幣補充回収機４は、例えば金融機関の営業店、小売店や公共施設等に設置される現金自動預払機（ＡＴＭ：Automatic Teller Machine、図示せず）に着脱可能で、当該現金自動預払機で行われる取引用の紙幣を収納する補充回収カセットに紙幣を補充し、また補充回収カセットから紙幣を回収する。
【００１７】
新券支払機５は、紙幣補充回収機４の上側に組み込まれて一体化されており、各金種の新券（新札）を出金する。棒金支払機６は、金種別の一定枚数毎に棒状に重ねて包まれた硬貨（いわゆる棒金）を出金する。硬貨入出金機７は、硬貨を１枚単位で入出金する。
【００１８】
認証プリンタ８は、紙幣補充回収機４に載置され、紙幣入出金機２や施封小束支払機３、紙幣補充回収機４、新券支払機５、棒金支払機６及び硬貨入出金機７で行われる入金や出金等の処理内容を認証して所定の帳票等に印字し排出する。現金外ポスト９は、硬貨入出金機７に載置されており、現金以外の小切手や定期預金証書等の有価証券を取り込んで入金処理する。
【００１９】
操作表示部１３はディスプレイ１０とキーボード１１とにより構成されている。ディスプレイ１０は、正面を前方向に向けて紙幣入出金機２に載置されており、入金や出金等の各種処理に関する種々の情報を表示するＬＣＤ（Liquid Crystal Display）と、取引の種類の選択、金種等を入力するタッチパネルとが一体化されている。キーボード１１は、紙幣入出金機２におけるディスプレイ１０の前に載置されており、入金や出金等の各種処理に関する種々の情報や指示等を入力する。制御装置１２は、出納システム１全体を統括制御する。
【００２０】
出納システム１は、これら各種装置の少なくとも一部については比較的自由に配置することができるものの、例えば、棒金支払機６、施封小束支払機３、紙幣補充回収機４、紙幣入出金機２、制御装置１２及び硬貨入出金機７が、各々の正面を同一方向に向け互いに隣接するよう横一列に配置されている。
【００２１】
以下の説明では、出納システム１における棒金支払機６、施封小束支払機３、紙幣補充回収機４、紙幣入出金機２、制御装置１２及び硬貨入出金機７各々の正面が向く方向を前方向と定義し、その反対を後方向と定義して、さらに当該出納システム１の前側に対峙したときの左右方向及び上下方向をそれぞれ定義する。
【００２２】
出納システム１では、右方向に沿って順次隣接させるようにして配置された施封小束支払機３、紙幣補充回収機４及び紙幣入出金機２が、紙幣を左方向及び右方向に搬送する装置間搬送部（図示せず）によって接続されている。
【００２３】
これにより出納システム１は、施封小束支払機３、紙幣補充回収機４及び紙幣入出金機２の間で、施封や補充、回収等の各種処理に用いる紙幣を装置間搬送部を介して適宜搬送して受け渡すことができる。
【００２４】
［１−２．施封小束支払機の内部構成］
図２に示すように、施封小束支払機３は、箱状の施封小束支払機筐体２０を中心に構成されており、当該施封小束支払機筐体２０の前面に入出金口４０が設けられている。
【００２５】
施封小束支払機筐体２０の内部には、上側に配置された上部ユニット２４と、下側に配置された下部ユニット２６とが設けられている。上部ユニット２４には、主に制御部３０、装置間搬送部３２、集積部３４、紙幣クランプ移動部３６、施封部３８及び入出金口４０が設けられている。下部ユニット２６には、主に昇降部４２、オーバーフロー庫４８、収納繰出部４９（小束ハンド部５０及び小束プッシャ部５２）、認識部５４及び小束金庫５６（５６ａ〜５６ｄ）が設けられており、施封小束支払機筐体２０から引き出されないよう図示しない下部ユニット引出ロックにより施錠されている。
【００２６】
この施封小束支払機３は、紙幣の長辺が左右方向に沿った状態で紙幣小束を搬送すると共に、小束金庫５６、オーバーフロー庫４８及び昇降機構部４４に収納する。
【００２７】
施封小束支払機筐体２０は、前側に内部空間と外部とを連通させる連通孔が形成されており、当該内部空間内に下部ユニット２６を収納している。下部ユニット２６はスライドレール（図示せず）を介して施封小束支払機筐体２０に取り付けられており、当該施封小束支払機筐体２０に対し前方向又は後方向へ直線的に且つ円滑に移動する。
【００２８】
下部ユニット２６の前面には、当該下部ユニット２６が施封小束支払機筐体２０内部に収納された際に当該施封小束支払機筐体２０の連通孔を閉鎖する前面壁２２が形成されている。すなわち施封小束支払機３は、オペレータとの間で現金に関する取引を行う取引動作時には、図２に示したように下部ユニット２６を施封小束支払機筐体２０内部に収納し所定の収納位置へ位置させて下部ユニット引出ロックを施錠することにより、内部に保有している紙幣等を保護する。一方施封小束支払機３は、オペレータが紙幣小束の補充・回収等を行う保守作業時には、下部ユニット引出ロックを解錠して図３に示すように施封小束支払機筐体２０内部から下部ユニット２６を引き出させることにより、内部の各部に対する作業を容易に行わせる。
【００２９】
また施封小束支払機筐体２０には、下部ユニット２６が当該施封小束支払機筐体２０に収納されているか又は引き出されているかを検出する下部ユニットセンサ（図示せず）が設けられ、検出結果を制御部３０へ供給する。
【００３０】
装置間搬送部３２は、施封小束支払機３内の上側後端に配置され、紙幣補充回収機４又は紙幣入出金機２（図１）から搬送された紙幣を受け取り、集積部３４（３４ａ又は３４ｂ）へ１枚ずつ搬送する。
【００３１】
集積部３４は、装置間搬送部３２の前方に配置され、装置間搬送部３２から搬送された紙幣を金種毎に分類計数すると共に、当該紙幣を１００枚ずつ集積させる。
【００３２】
紙幣クランプ移動部３６は、装置間搬送部３２と集積部３４との間に配置され、当該集積部３４に集積された１００枚の紙幣を施封部３８まで搬送する。
【００３３】
施封部３８は、紙幣クランプ移動部３６の前方下側に配置され、当該紙幣クランプ移動部３６により搬送された１００枚の紙幣の束を紙幣小束Ｔとして紙帯で施封し、昇降部４２に搬送する。
【００３４】
施封部３８は、図４に示すように、紙幣小束Ｔの長辺方向の一端側寄り（すなわち紙幣を正面から見て左寄り）の所定箇所に、短辺方向と平行に紙帯Ｓを巻回することで、紙幣小束Ｔを施封する。
【００３５】
具体的に紙幣小束Ｔは、官封券の場合、上下方向の厚さが約１０ｍｍ、長辺方向の長さが１５０ｍｍ〜１６０ｍｍ、左端から紙帯Ｓまでの長さが約３０ｍｍ、紙帯Ｓの左右方向の幅が約２０ｍｍとなっている。
【００３６】
昇降部４２は、施封小束支払機３内の前端に設けられ、施封小束支払機筐体２０の底板近傍を下端として入出金口４０の近傍まで上方に延在する昇降路４６と、当該昇降路４６内を上下方向に移動する昇降機構部４４とにより構成されている。
【００３７】
この昇降路４６の上端側には入出金口４０が設けられ、当該入出金口４０は、オペレータが入金する紙幣小束Ｔが投入されると共に、オペレータへ出金する紙幣小束Ｔを排出する。また入出金口４０は、入出金口シャッタ（図示せず）を駆動することにより開放又は閉塞する。
【００３８】
施封小束支払機３においては、紙帯Ｓが左寄りとなる状態で紙幣小束Ｔが入出金口４０に投入されるように設定されている。
【００３９】
昇降機構部４４は、施封された紙幣小束Ｔが上側に載置された状態で昇降機構駆動部（図示せず）により昇降路４６内を上下方向に移動することにより、紙幣小束Ｔを入出金口４０と小束金庫５６の上方前側との間で移動させる。この昇降機構部４４は、昇降機構駆動部に加えて、所謂パンタグラフによっても上下方向に移動するようになされている。
【００４０】
オペレータと紙幣小束Ｔの入出金を行う際、昇降機構部４４は、昇降路４６の上端に近接する位置まで移動し入出金ポジションとなる。この入出金ポジションにおいて、オペレータは例えば５束分の紙幣小束Ｔを一度に昇降機構部４４に載置できる。ここで、施封小束支払機筐体２０内部において上部ユニット２４、昇降部４２及び昇降機構駆動部等を配置する際のスペースの制約上、入出金口４０からは５束までの紙幣小束Ｔを一度に昇降機構部４４に載置可能に設定されている。
【００４１】
またオペレータは、入出金口４０から紙幣小束Ｔを入金する以外にも、図３に示したように下部ユニット２６を施封小束支払機筐体２０から引き出し、昇降機構部４４に例えば２０束分の紙幣小束Ｔを直接載置することにより紙幣小束Ｔを入金する昇降部小束装填処理を行うこともできる。
【００４２】
特に、昇降機構部４４が昇降路４６の下端に位置しパンタグラフを畳んだ退避ポジションにおいては、昇降機構部４４の上側には大きな空間が形成されるため、オペレータは、入出金ポジションよりも多くの紙幣小束Ｔを一度に昇降機構部４４に載置できる。
【００４３】
具体的に昇降部４２は、小束ハンド部５０（後述する）が昇降路４６に入り込む位置から、退避ポジションにある昇降機構部４４の上面までの上下方向の長さに収まるだけの紙幣小束Ｔを保持可能となっている。
【００４４】
このように昇降機構部４４は、多くの紙幣小束Ｔを載置させることができ、小束金庫５６ａ〜５６ｄのうち、少なくとも１つの小束金庫５６に収納された紙幣小束Ｔを全て保持可能となっている。
【００４５】
さらに昇降部４２より後方下側に、上部ユニット２４と所定の間隔を空けるようにして、４個の小束金庫５６（５６ａ〜５６ｄ）が前後方向に並んで配置されている。小束金庫５６（５６ａ〜５６ｄ）は、例えば金種毎に用意され、内壁により囲まれた内部空間に、それぞれ指定された金種の紙幣小束Ｔを例えば２０束ずつ収納する。小束金庫５６には、当該小束金庫５６の内部空間を外部に対し遮断又は開放する小束金庫シャッタ（図示せず）が設けられている。本実施の形態においては、１万円札が１００枚ずつ施封された万券小束を小束金庫５６ａ及び５６ｂが、千円札が１００枚ずつ施封された千券小束を小束金庫５６ｃ及び５６ｄがそれぞれ収納する。
【００４６】
また小束金庫５６には、当該小束金庫５６内において上下方向に移動する在高センサ（図示せず）が設けられ、紙幣小束Ｔの紙帯Ｓの側面に光を照射してその反射光を読み取ることにより束数を計数し、計数結果を制御部３０へ供給する。
【００４７】
さらに小束金庫５６には、小束金庫シャッタの開閉状態を検知する小束金庫シャッタセンサ（図示せず）が設けられ、当該小束金庫シャッタの開閉状態の検出結果を制御部３０へ供給する。
【００４８】
またこの施封小束支払機３においては、オペレータが手動で小束金庫５６に紙幣小束Ｔを直接装填する手動装填が可能となっている。手動装填を行う際、オペレータは、下部ユニット２６を施封小束支払機筐体２０から引き出し、紙幣小束Ｔを装填する対象の小束金庫５６の小束金庫シャッタを開いて紙幣小束Ｔを装填する。
【００４９】
オーバーフロー庫４８は、昇降部４２と小束金庫５６ａとの間に配置されている。オーバーフロー庫４８は、内壁により囲まれた内部空間を有し、小束金庫５６からの出金時や精査時に認識部５４（後述する）において金種を識別できなかった紙幣小束Ｔや、入金時に小束金庫５６が満杯で収納できなかった紙幣小束Ｔ等を収納する。オーバーフロー庫４８には、当該オーバーフロー庫４８の内部空間を外部に対し遮断又は開放するオーバーフロー庫シャッタ（図示せず）が設けられている。
【００５０】
このオーバーフロー庫４８は、内壁の前後方向の間隔が紙幣小束Ｔの前後方向（短辺方向）の幅よりも狭く形成されており、紙幣小束Ｔにおける紙幣の面に沿う面方向を水平ではなく斜めに傾けて積層堆積させて収納する。
【００５１】
収納繰出部４９は、小束ハンド部５０及び小束プッシャ部５２により構成され、上部ユニット２４と小束金庫５６との間の通路５８内を前後方向に移動するように構成されている。収納繰出部４９は、小束ハンド部５０が前側、小束プッシャ部５２が後側となる位置関係を維持しながら通路５８内を移動する。
【００５２】
小束ハンド部５０は、昇降機構部４４と小束金庫５６との間で紙幣小束Ｔを把持して移動させる。また小束ハンド部５０は、昇降機構部４４又は小束金庫５６からオーバーフロー庫４８へも紙幣小束Ｔを移動させる。小束プッシャ部５２は、入金処理時において小束ハンド部５０から小束金庫５６へ紙幣小束Ｔを押し込むと共に、出金処理時において、小束金庫５６に対し、当該小束金庫５６内に収納された紙幣小束Ｔを上方へ押し上げさせる。
【００５３】
小束プッシャ部５２には、紙幣小束Ｔの金種の識別、束数の計数、紙幣小束Ｔが正常に施封されているか否かの施封状態の検出を行う認識部５４が設けられている。認識部５４は、小束ハンド部５０により把持された紙幣小束Ｔが当該認識部５４を通過する際に当該紙幣小束Ｔの金種の識別、束数の計数、紙帯の有無や位置に基づく施封状態の検出を行い、識別結果、計数結果及び検出結果を認識結果として制御部３０に供給する。
【００５４】
制御部３０は、装置間搬送部３２の下側に配置されている。制御部３０は、図示しないＣＰＵ（Central Processing Unit）を中心に構成されており、図示しないＲＯＭ（Read Only Memory）やフラッシュメモリ等から所定のプログラムを読み出して実行することにより、上述の各部を制御して、紙幣小束Ｔの施封処理、入金処理、出金処理、昇降部小束装填処理、在高確認処理、精査処理等を行うようになされている。また制御部３０は、内部にＲＡＭ（Random Access Memory）、ハードディスクドライブやフラッシュメモリ等でなる記憶部を有しており、この記憶部に種々の情報を記憶させるようになされている。
【００５５】
［１−３．入金処理］
入金処理の具体的な処理手順について、図５のフローチャートを用いて説明する。制御部３０は、記憶部から入金処理プログラムを読み出して実行することにより入金処理手順ＲＴ１を開始し、ステップＳＰ１へ移る。
【００５６】
ステップＳＰ１において制御部３０は、オペレータが操作表示部１３を操作することにより小束装填メニュー（すなわち入金メニュー）が選択されるまで待機する。小束装填メニューがオペレータにより選択されると、ステップＳＰ２へ移り入出金口４０まで昇降機構部４４を移動させて入出金口シャッタを開き、ステップＳＰ３へ移り図７に示す投入誘導画面ＤＩＰ１をディスプレイ１０に表示させ、ステップＳＰ４へ移りオペレータからの紙幣小束の投入及び計数開始キーの押下を待機する。
【００５７】
この投入誘導画面ＤＩＰ１は、形状が整った紙幣小束を紙帯が左寄りとなる状態で入出金口４０に投入するようにオペレータに誘導する画像が表示されている。
【００５８】
ステップＳＰ４においてオペレータが紙幣小束を入出金口４０へ投入し、操作表示部１３を操作することにより計数開始キーを押下すると、制御部３０はステップＳＰ５へ移り、紙幣小束が昇降機構部４４に載置された際の形状の状態を示す投入状態が正常であるか否かを判定する。なお、昇降機構部４４に載置された紙幣小束の投入状態を判定する手段としては、例えば図示しないセンサ等により紙幣小束や紙幣が所定の位置からはみ出していないかを監視するようにすればよい。
【００５９】
ステップＳＰ５において否定結果が得られると、投入状態は異常であったため、制御部３０はステップＳＰ６へ移り、図８に示す投入状態異常検知画面ＤＩＰ２をディスプレイ１０に表示させ、オペレータが紙幣小束の形状を整え再度計数開始キーを押下するまで待機する。この投入状態異常検知画面ＤＩＰ２は、紙幣小束や紙幣が位置ずれしている状態を投入状態が異常であると示し、紙幣小束の形状を整えて入出金口４０に再度投入するようにオペレータに誘導する画像が表示されている。
【００６０】
一方ステップＳＰ５において肯定結果が得られると、投入状態は正常であったため、制御部３０はステップＳＰ７へ移り、入出金口シャッタを閉じ、ステップＳＰ８へ移る。
【００６１】
ここで昇降機構部４４は、紙幣小束を受け取ると、小束ハンド部５０及び小束プッシャ部５２の通路５８の手前まで昇降路４６内を降りていき、昇降機構部４４に載置された紙幣小束のうち最上位の紙幣小束を小束ハンド部５０が把持できる位置まで移動する。昇降機構部４４が通路５８の手前まで移動すると、通路５８の前端に移動してきた小束ハンド部５０は、昇降機構部４４に載置された紙幣小束のうち最上位の紙幣小束を把持する。
【００６２】
このとき小束金庫５６ａの上には小束プッシャ部５２が位置しており、小束ハンド部５０が昇降機構部４４から受け取った紙幣小束を把持したまま、小束金庫５６ａの上まで通路５８内を移動すると、小束ハンド部５０と小束プッシャ部５２とが一体化する。このとき認識部５４は、下側を通過した紙幣小束の金種の識別、束数の計数、紙帯の位置や有無に基づく施封状態の検出を行い、認識結果を制御部３０に供給する。
【００６３】
ステップＳＰ８において制御部３０は、認識結果に基づいて計数を開始し、認識部５４において認識された小束の状態を示す小束状態が正常か否かを判定する。ここで肯定結果が得られると、小束状態が正常であったため、制御部３０はステップＳＰ９へ移り、紙幣小束を小束金庫５６へ収納する。
【００６４】
具体的には、入金された紙幣小束の金種が認識部５４において識別でき、且つ紙帯により正しく施封されており、且つ施封小束支払機３の小束金庫５６において収納すべき金種であり、且つ識別された金種に対応する小束金庫５６が満杯でない場合、制御部３０は、紙幣小束Ｔが正常紙幣小束であると判別する。このとき、一体化した小束ハンド部５０及び小束プッシャ部５２は、認識部５４が識別した金種に対応する小束金庫５６の上へ移動し、小束プッシャ部５２が、小束ハンド部５０に把持された紙幣小束を下方の小束金庫５６へと押し出す。この結果、この紙幣小束が小束金庫５６内の昇降ステージ（図示せず）上に積み重なるようにして収納される。
【００６５】
小束金庫５６の昇降ステージは、バネ等の付勢部材により上方に付勢されており、この昇降ステージと、小束金庫５６の上端の入出口付近に設けられたストッパとで、昇降ステージ上に積み重ねられた紙幣小束を上下方向に挟み込んで保持する。
【００６６】
小束ハンド部５０は、昇降機構部４４に載置された紙幣小束がなくなるまで上述した動作を繰り返すことにより、入金された紙幣小束を小束金庫５６へ収納する。
【００６７】
昇降機構部４４に載置された紙幣小束がなくなると、制御部３０はステップＳＰ１０へ移り、計数結果をディスプレイ１０に表示させ、ステップＳＰ１１へ移る。
【００６８】
ステップＳＰ１１において制御部３０は、追加して入金する紙幣小束が存在するか又は小束装填を終了するかをオペレータに問い合わせ、追加する紙幣小束が存在すると選択された場合は上述した動作を繰り返すことにより昇降機構部４４に載置された紙幣小束を小束金庫５６に収納する一方、小束装填終了キーが押下されることにより小束装填を終了すると選択された場合、ステップＳＰ２４へ移り入金処理手順ＲＴ１を終了する。
【００６９】
因みに施封小束支払機３は、入出金口４０から入金された紙幣小束を小束金庫５６に収納する以外にも、施封部３８によって施封された紙幣小束を小束金庫５６に収納することも可能となっている。この場合施封小束支払機３は、施封部３８まで昇降機構部４４を移動させて当該施封部３８から昇降機構部４４へ紙幣小束を受け渡し、上述した入金処理と同様の動作を行う。
【００７０】
ここで、入金された紙幣小束の金種が認識部５４において識別できなかった場合や、紙帯により正しく施封されていない場合や、施封小束支払機３の小束金庫５６において収納すべき金種でない場合や、識別された金種に対応する小束金庫５６が満杯の場合、制御部３０は、紙幣小束が入金リジェクト紙幣小束であると判別する。
【００７１】
そのような場合制御部３０は、ステップＳＰ８において否定結果を得て、小束状態が異常であった、すなわち紙幣小束がリジェクト紙幣小束であったため、ステップＳＰ１２へ移り、小束ハンド部５０により昇降機構部４４まで紙幣小束を運んで載置し当該昇降機構部４４を入出金口４０まで昇降路４６内を上昇させ、ステップＳＰ１３へ移り入出金口シャッタを開くことにより、紙幣小束をオペレータに返却する。
【００７２】
ここで、投入された紙幣小束が、紙帯が左寄りとなるように入出金口４０の所定の位置に載置されず、右寄りとなるように載置された場合、制御部３０は、小束セット方向間違い状態であると判定し、ステップＳＰ１４へ移り、図９に示す小束セット方向間違い検知画面ＤＩＰ３をディスプレイ１０に表示させる。この小束セット方向間違い検知画面ＤＩＰ３は、紙幣小束における紙幣の長辺に沿う左右方向のセット方向が反対であると示し、紙幣小束の左右方向の向きを逆にして入出金口４０に再度投入するようにオペレータに誘導する画像が表示されている。なお、このとき小束セット方向間違い検知画面ＤＩＰ３に確認キーを表示させ、この確認キーが押下された時に入出金口４０を開くようにしても良く、又は小束セット方向間違い検知画面ＤＩＰ３を表示すると共に入出金口４０を開くようにしても良い。
【００７３】
続いて制御部３０はステップＳＰ４へ戻り、オペレータからの紙幣小束の再投入及び計数開始キーの押下を待機する。オペレータは、返却された紙幣小束のセット方向を反対にして再度入出金口４０へ投入し計数開始キーを押下する。
【００７４】
一方、投入された紙幣小束が、施封小束支払機３の小束金庫５６において収納すべき金種（以下では収納対象金種とも呼ぶ）の紙幣小束ではなかった場合、制御部３０は、対象外金種装填状態であると判定し、ステップＳＰ１５へ移り、図１０に示す対象外金種装填検知画面ＤＩＰ４をディスプレイ１０に表示させる。この対象外金種装填検知画面ＤＩＰ４は、紙幣小束が収納対象金種ではないと示し、収納対象金種の紙幣小束を入出金口４０に投入するようにオペレータに誘導する画像が表示されている。なお、このとき対象外金種装填検知画面ＤＩＰ４に確認キーを表示させ、この確認キーが押下された時に入出金口４０を開くようにしても良く、又は対象外金種装填検知画面ＤＩＰ４を表示すると共に入出金口４０を開くようにしても良い。
【００７５】
続いて制御部３０はステップＳＰ４へ戻り、オペレータからの収納対象金種の紙幣小束の投入及び計数開始キーの押下を待機する。オペレータは、返却された紙幣小束を受け取り、収納対象金種の紙幣小束を投入し計数開始キーを押下する。
【００７６】
一方、投入された紙幣小束の紙帯の位置が、予め設定された位置から所定距離以上ずれていた場合、制御部３０は、紙帯位置不良状態であると判定し、ステップＳＰ１６へ移り、図１１に示す紙帯位置不良検知画面ＤＩＰ５をディスプレイ１０に表示させる。この紙帯位置不良検知画面ＤＩＰ５は、紙幣小束の紙帯が位置ずれしていると示し、紙帯の位置を修正して紙幣小束を入出金口４０に再度投入するようにオペレータに誘導する画像が表示されている。なお、このとき紙帯位置不良検知画面ＤＩＰ５に確認キーを表示させ、この確認キーが押下された時に入出金口４０を開くようにしても良く、又は紙帯位置不良検知画面ＤＩＰ５を表示すると共に入出金口４０を開くようにしても良い。
【００７７】
続いて制御部３０はステップＳＰ４へ戻り、オペレータからの紙帯が正常な位置に修正された紙帯正常施封状態の紙幣小束の投入及び計数開始キーの押下を待機する。オペレータは、返却された紙幣小束を受け取り、紙帯の位置を所定の位置へずらして紙幣小束を再度投入し計数開始キーを押下する。
【００７８】
一方、投入された紙幣小束の金種が、汚れや損傷等により認識できなかった場合、制御部３０は、識別不可状態であると判定し、ステップＳＰ１７へ移り、図１２に示す識別不可検知画面ＤＩＰ６をディスプレイ１０に表示させる。この識別不可検知画面ＤＩＰ６は、紙幣小束の金種が認識できなかったと示し、投入した紙幣小束の状態を確認するようオペレータに誘導する画像が表示されている。なお、このとき識別不可検知画面ＤＩＰ６に確認キーを表示させ、この確認キーが押下された時に入出金口４０を開くようにしても良く、又は識別不可検知画面ＤＩＰ６を表示すると共に入出金口４０を開くようにしても良い。
【００７９】
続いて制御部３０はステップＳＰ４へ戻り、オペレータからの正常な状態の紙幣小束の再投入及び計数開始キーの押下を待機する。オペレータは、返却された紙幣小束を受け取り、汚れの除去や損傷の修正等を行い紙幣小束を再度投入し計数開始キーを押下する。
【００８０】
一方、投入された紙幣小束の紙帯が検出できなかった場合、制御部３０は、紙帯なし状態であると判定し、ステップＳＰ１８へ移り、図１３に示す紙帯なし検知画面ＤＩＰ７をディスプレイ１０に表示させる。この紙帯なし検知画面ＤＩＰ７は、紙幣小束に紙帯が巻かれていないと示し、紙帯を確認するようにオペレータに誘導する画像が表示されている。なお、このとき紙帯なし検知画面ＤＩＰ７に確認キーを表示させ、この確認キーが押下された時に入出金口４０を開くようにしても良く、又は紙帯なし検知画面ＤＩＰ７を表示すると共に入出金口４０を開くようにしても良い。
【００８１】
続いて制御部３０はステップＳＰ１９へ移り、図１４に示す紙幣点検誘導画面ＤＩＰ８をディスプレイ１０に表示させることにより、下部ユニット２６内部に散乱した可能性がある紙幣を点検するようオペレータに促し、ステップＳＰ２０へ移る。
【００８２】
ステップＳＰ２０において制御部３０は、図１５に示すユニット引出誘導画面ＤＩＰ９をディスプレイ１０に表示させ、オペレータが下部ユニット２６を施封小束支払機筐体２０から引き出すまで待機する。オペレータが下部ユニット２６を施封小束支払機筐体２０から引き出すと、制御部３０はステップＳＰ２１へ移り、図１６に示す点検箇所誘導画面ＤＩＰ１０をディスプレイ１０に表示させることにより、下部ユニット２６内部において特に点検すべき場所をオペレータに示し、ステップＳＰ２２へ移る。オペレータは、下部ユニット引出ロックを解錠して下部ユニット２６を引き出し、点検箇所誘導画面ＤＩＰ１０により示された場所に紙幣が散乱していないかを重点的に点検する。
【００８３】
ステップＳＰ２２において制御部３０は、図１７に示すユニットセット誘導画面ＤＩＰ１１をディスプレイ１０に表示させ、オペレータが下部ユニット２６を施封小束支払機筐体２０へ押し込んで収納位置へセットするまで待機する。オペレータが下部ユニット２６を収納位置へセットすると、制御部３０は所定のイニシャル動作を行い、ステップＳＰ１へ戻る。
【００８４】
一方、識別された金種に対応する小束金庫５６が満杯の場合、制御部３０は、小束金庫フル状態であると判定し、ステップＳＰ２３へ移り、図１８に示す小束金庫フル検知画面ＤＩＰ１２をディスプレイ１０に表示させることにより、識別された金種に対応する小束金庫５６が満杯であったことをオペレータに提示してから紙幣小束を入出金口４０からオペレータに返却してステップＳＰ１０へ移り、入金できた紙幣小束の分の計数結果をディスプレイ１０に表示させ、以降は上述した動作を行う。
【００８５】
このように施封小束支払機３は、投入された紙幣小束が入金リジェクト紙幣小束であると認識した場合、当該入金リジェクト紙幣小束をオペレータへ返却すると共に、紙幣小束を返却した要因を示す入金リジェクト要因情報と、その後オペレータが行うべき処置を示す処置誘導情報として小束セット方向間違い検知画面ＤＩＰ３、対象外金種装填検知画面ＤＩＰ４、紙帯位置不良検知画面ＤＩＰ５、識別不可検知画面ＤＩＰ６、小束金庫フル検知画面ＤＩＰ１２、又は、紙帯なし検知画面ＤＩＰ７、紙幣点検誘導画面ＤＩＰ８、ユニット引出誘導画面ＤＩＰ９、点検箇所誘導画面ＤＩＰ１０及びユニットセット誘導画面ＤＩＰ１１をディスプレイ１０に表示する。
【００８６】
［１−４．昇降部小束装填処理］
一方、昇降部小束装填処理を行う際、オペレータは、図３に示したように施封小束支払機筐体２０から下部ユニット２６を引き出す。このとき図示しない昇降機構駆動部は、昇降機構部４４を退避ポジションまで下降させる。下部ユニット２６が引き出されたことを下部ユニットセンサにより検出すると、制御部３０は、小束金庫５６ａ〜５６ｄの小束金庫シャッタを閉鎖することにより、小束金庫５６ａ〜５６ｄに紙幣小束が装填されることや、小束金庫５６ａ〜５６ｄから紙幣小束が取り出されることを防止する。
【００８７】
続いてオペレータは、昇降機構部４４に上方から例えば２０束分の紙幣小束を直接載置し、下部ユニット２６を押し込んで施封小束支払機筐体２０内部に収納させる。下部ユニット２６が収納されたことを下部ユニットセンサにより検出すると、制御部３０は、小束金庫５６ａ〜５６ｄの小束金庫シャッタを開放することにより、小束金庫５６ａ〜５６ｄに対する紙幣小束の収納及び繰出を可能な状態とする。
【００８８】
その後施封小束支払機３は、投入状態の判別は行わないものの、上述した入金処理とほぼ同様の動作を行う。このときも施封小束支払機３は、昇降機構部４４に載置された紙幣小束が正常紙幣小束であった場合は小束金庫５６に収納する一方、入金リジェクト紙幣小束であった場合は入出金口４０からオペレータへ返却し、上述した入金リジェクト要因情報及び処置誘導情報をディスプレイ１０に表示する。
【００８９】
このように施封小束支払機３は、昇降部小束装填処理時、オペレータが昇降機構部４４に載置した紙幣小束を、金種毎に設定された小束金庫５６に収納することにより、オペレータが外部から持ってきた大量の紙幣小束を一度に装填でき、オペレータの装填作業を軽減できる。
【００９０】
［１−５．出金処理］
また、オペレータが操作表示部１３を操作することにより出金処理を選択すると、まず、昇降機構部４４が通路５８の手前まで昇降路４６内を移動する。
【００９１】
ここで、小束ハンド部５０及び小束プッシャ部５２がオペレータにより指定された金種の小束金庫５６（５６ａ〜５６ｄ）の上まで移動する。このとき小束プッシャ部５２は、小束ハンド部５０内と一体化する。小束プッシャ部５２は、押込プレート（図示せず）を下方まで伸ばして、下方の小束金庫５６の昇降ステージ上に積み重ねられている紙幣小束を押し下げる。
【００９２】
小束金庫５６は、小束プッシャ部５２により紙幣小束が下方に押し下げられると、入出口付近に設けられたストッパが外れる仕組みになっている。ストッパが外れると、昇降ステージ上に積み重ねられている紙幣小束は、当該昇降ステージと小束プッシャ部５２の押込プレートとの間で保持されながら当該昇降ステージと共に上昇する。
【００９３】
そして昇降ステージ上に積み重ねられている紙幣小束のうち１番上の紙幣小束（最上位紙幣小束）が小束金庫５６の入出口の外まで上昇すると、小束ハンド部５０は、この最上位紙幣小束を前方へスライドするよう移動させた後に把持する。
【００９４】
そして小束ハンド部５０は、小束金庫５６から受け取った紙幣小束Ｔを把持したまま、小束プッシャ部５２から分離する。このとき認識部５４は、下側を通過した紙幣小束の金種の識別、束数の計数、施封状態の検出を行い、認識結果を制御部３０に供給する。
【００９５】
出金しようとしている紙幣小束の金種が認識部５４において識別でき、且つ指定された金種の紙幣小束であり（すなわち指定された小束金庫５６に収納されているべき金種の紙幣小束であり）、且つ紙帯が正しく施封されている場合、制御部３０は、紙幣小束が正常紙幣小束であると判別する。このとき小束ハンド部５０は、通路５８内を昇降機構部４４の昇降路４６まで移動する。
【００９６】
小束ハンド部５０は、昇降路４６まで移動すると、このとき把持している紙幣小束を離し、昇降機構部４４に載置する。指定された束数の紙幣小束が載置されると、昇降機構部４４が入出金口４０まで昇降路４６内を上昇し、入出金口シャッタが開くことにより、紙幣小束がオペレータに受け渡される。
【００９７】
一方、出金しようとしている紙幣小束の金種が認識部５４において識別できなかった場合や、指定された金種の紙幣小束ではない場合や、紙帯が正しく施封されていない場合、制御部３０は、紙幣小束が出金リジェクト紙幣小束であると判別する。このとき施封小束支払機３は、小束ハンド部５０によりオーバーフロー庫４８まで紙幣小束を運び、オーバーフロー庫シャッタを開いて当該オーバーフロー庫４８に紙幣小束を収納する。
【００９８】
このように施封小束支払機３は、出金処理時、金種毎に設定された小束金庫５６から紙幣小束Ｔを繰り出して出金する。
【００９９】
［１−６．在高確認処理］
施封小束支払機３が、小束金庫５６内の紙幣小束の束数である在高を確認する在高確認処理は、小束金庫５６に収納された紙幣小束の金種が既に認識部５４により識別されている状態であり、小束金庫５６内の在高を確認するだけで、当該小束金庫５６内の金種及び束数が確定する場合に実行される処理である。
【０１００】
オペレータが操作表示部１３を操作することにより在高確認処理を選択すると、施封小束支払機３は、小束金庫５６内において在高センサを上下方向に移動させつつ紙幣小束の側面の紙帯Ｓに光を照射し、紙帯と、上下に重なる紙幣小束の紙帯の間の隙間との光の反射率の相違を検出することにより、束数を計数する。
【０１０１】
このように施封小束支払機３は、在高センサを小束金庫５６において上下方向に移動させるという簡便な処理を行うだけで、当該小束金庫５６の在高を確認することができる。
【０１０２】
［１−７．効果］
以上の構成において施封小束支払機３は、紙幣小束Ｔにおける紙帯Ｓの状態を認識部５４において認識し、認識部５４の認識結果に基づいて当該紙幣小束Ｔが小束金庫５６に収納できるか否かを判別し、当該紙幣小束Ｔが小束金庫５６に収納できない入金リジェクト紙幣小束であると判別した場合、当該紙幣小束Ｔを外部へ返却すると共に、当該紙幣小束Ｔの返却に関し、返却した理由を示す入金リジェクト要因情報と、その後オペレータが行うべき処置を提示する処置誘導情報とをメッセージ及びイラストでディスプレイ１０に表示するようにした。
【０１０３】
従来の施封小束支払機においては、入金された紙幣小束が入金リジェクト紙幣小束であった場合、エラーが発生したことをオペレータに提示するのみであったため、オペレータは、エラーが発生した理由を認識することが困難であった。
【０１０４】
これに対し施封小束支払機３は、入金リジェクト紙幣小束をオペレータに返却する際、返却する要因をディスプレイ１０に表示するようにしたため、エラーが発生した理由をオペレータに通知することができる。
【０１０５】
また施封小束支払機３は、入金リジェクト要因情報と共に、処置誘導情報をディスプレイ１０に表示するようにしたため、次に行うべき処置をオペレータに対して誘導し、正しい操作を指示することができる。
【０１０６】
さらに施封小束支払機３は、処置誘導情報を、メッセージだけでなく、施封小束支払機３及び紙幣小束Ｔを示すイラストと共にディスプレイ１０に表示するようにしたため、次に行うべき処置をオペレータに一目で容易に認識させることができる。
【０１０７】
また、紙幣小束ではなく、１枚の紙幣を取り扱う現金自動取引装置の場合、入金リジェクト紙幣は、傷がついていたりするため、操作者は、当該入金リジェクト紙幣を一目見れば返却された要因を認識できる可能性が高い。これに対し所定枚数の紙幣が紙帯で結束された紙幣小束が施封小束支払機から返却された場合、オペレータは、紙幣小束に対する正常な紙帯の位置及び状態を把握しているとは限らないため、紙幣小束が返却された要因を認識できず、当該紙幣小束をそのまま再度入金してしまうおそれがある。
【０１０８】
このように、紙帯で施封されていない紙幣よりも紙幣小束の方が、オペレータが一目で紙幣小束が返却された理由を認識しにくい傾向にある。
【０１０９】
これに対し施封小束支払機３は、入金リジェクト要因情報を提示するようにしたので、紙幣小束の施封状態が異常であるために紙幣小束が返却されたことをオペレータに容易に認識させることができる。
【０１１０】
また紙帯なし状態の紙幣小束が施封小束支払機３の内部を搬送された場合、紙幣が施封小束支払機筐体２０内部に散乱してしまう可能性がある。
【０１１１】
これに対し施封小束支払機３は、入出金口４０から取り込んだ紙幣小束が紙帯なし状態であると認識部５４で検知した場合、当該紙幣小束を小束金庫５６へは搬送せず、速やかに入出金口４０に戻すようにしたため、搬送による紙幣の散乱を最小限に留めることができる。
【０１１２】
さらに施封小束支払機３は、紙幣点検誘導画面ＤＩＰ８、ユニット引出誘導画面ＤＩＰ９及び点検箇所誘導画面ＤＩＰ１０をディスプレイ１０に表示してオペレータに紙幣の回収を誘導するようにしたため、下部ユニット２６に紙幣が残留したままその後の動作を行ってしまうことによる紙幣の破損及び施封小束支払機３の故障を防止できる。
【０１１３】
また施封小束支払機３は、在高確認処理において、小束金庫５６内で在高センサを上下方向に移動させつつ紙幣小束Ｔの側面の紙帯Ｓに光を照射することにより、束数を計数する。このため、小束セット方向間違い状態又は紙帯位置不良状態の場合、予め設定された位置から紙帯が位置ずれしているため、施封小束支払機３は束数を正確に計数することができず、計数異常となってしまう。
【０１１４】
これに対し施封小束支払機３は、紙幣小束が小束セット方向間違い状態又は紙帯位置不良状態の場合、当該紙幣小束を小束金庫５６へは搬送せず、入出金口４０に戻すようにしたため、在高確認処理において計数異常が発生してしまうことを防止できる。
【０１１５】
以上の構成によれば、施封小束支払機３は、所定枚数の紙幣が紙帯で結束された紙幣小束を外部から受け入れる入出金口４０と、受け入れた紙幣小束の紙帯の状態を認識する認識部５４と、認識部５４の認識結果に基づく情報を表示するディスプレイ１０と、紙幣小束を収納する小束金庫５６と、認識部５４の認識結果に基づいて紙幣小束が小束金庫５６に収納できるか否かを判別し、紙幣小束が小束金庫５６に収納できない入金リジェクト小束であると判別した場合、紙幣小束を外部へ返却させると共に、ディスプレイ１０に紙幣小束の返却に関する情報を表示させる制御部３０とを設けるようにした。
【０１１６】
これにより施封小束支払機３は、投入した紙幣小束が返却された要因を容易にオペレータに認識させることができる。
【０１１７】
［２．他の実施の形態］
なお上述した実施の形態においては、ディスプレイ１０に入金リジェクト要因情報及び処置誘導情報を画像として表示する場合について述べた。本発明はこれに限らず、例えば音声や光等を画像と組み合わせてオペレータに提示しても良い。
【０１１８】
また上述した実施の形態による昇降部小束装填処理において、昇降機構部４４に複数束の紙幣小束が載置された場合、昇降機構部４４に載置された未認識の紙幣小束の上に入金リジェクト紙幣小束を載置して入出金口４０まで上昇させ、当該入金リジェクト紙幣小束のみをオペレータに取り出させても良い。また、特に入金リジェクト紙幣小束が複数束存在する場合、当該入金リジェクト紙幣小束をオーバーフロー庫４８に収納しても良い。その場合も、オーバーフロー庫４８へ収納した入金リジェクト紙幣小束毎に、発生した異常の種類を記憶してディスプレイ１０に表示させれば良い。
【０１１９】
さらに上述した実施の形態においては、小束プッシャ部５２に認識部５４を設ける場合について述べた。本発明はこれに限らず、例えばオーバーフロー庫４８の近傍等、種々の場所に認識部５４を設けて良い。但し小束プッシャ部５２に認識部５４を設けた場合、紙幣小束を小束ハンド部５０が把持して移動させるだけで認識部５４を通過させて当該認識部５４により紙幣小束の種別としての金種を識別させることができる。
【０１２０】
さらに上述した実施の形態においては、金融機関等において紙幣を取り扱う出納システム１における小束としての紙幣小束を取り扱う施封小束支払機３において本発明を適用する場合について述べた。
【０１２１】
本発明はこれに限らず、例えば商品券、金券、小切手、チケット、入場券、カード、宝くじ、証書や証券等のような薄い紙状の媒体の小束を取り扱う種々の装置に適用しても良く、或いは現金自動預払機のような紙幣を扱う他の装置内において適用しても良い。また、複数枚の紙葉状の紙幣が施封された媒体に限らず、例えば１枚以上の紙葉状の媒体を取り扱う種々の装置に適用しても良い。
【０１２２】
さらに上述した実施の形態においては、小束受入口としての入出金口４０と、認識部としての認識部５４と、表示部としてのディスプレイ１０と、小束収納庫としての小束金庫５６と、判別部としての制御部３０と、制御部としての制御部３０とによって、小束処理装置としての施封小束支払機３を構成する場合について述べた。
【０１２３】
本発明はこれに限らず、その他種々の構成でなる小束受入口と、認識部と、表示部と、小束収納庫と、判別部と、制御部とによって小束処理装置を構成しても良い。
【産業上の利用可能性】
【０１２４】
本発明は、出納システム等に組み込まれた、小束を収納及び出金する小束処理装置で広く利用することができる。
【符号の説明】
【０１２５】
１……出納システム、２……紙幣入出金機、３……施封小束支払機、４……紙幣補充回収機、５……新券支払機、６……棒金支払機、７……硬貨入出金機、８……認証プリンタ、９……現金外ポスト、１０……ディスプレイ、１１……キーボード、１２……制御装置、１３……操作表示部、２０……施封小束支払機筐体、２２……前面壁、２４……上部ユニット、２６……下部ユニット、３０……制御部、３２……装置間搬送部、３４……集積部、３６……紙幣クランプ移動部、３８……施封部、４０……入出金口、４２……昇降部、４４……昇降機構部、４６……昇降路、４８……オーバーフロー庫、４９……収納繰出部、５０……小束ハンド部、５２……小束プッシャ部、５４……認識部、５６……小束金庫、５８……通路、Ｔ……紙幣小束、ＤＩＰ１……投入誘導画面、ＤＩＰ２……投入状態異常検知画面、ＤＩＰ３……小束セット方向間違い検知画面、ＤＩＰ４……対象外金種装填検知画面、ＤＩＰ５……紙帯位置不良検知画面、ＤＩＰ６……識別不可検知画面、ＤＩＰ７……紙帯なし検知画面、ＤＩＰ８……紙幣点検誘導画面、ＤＩＰ９……ユニット引出誘導画面、ＤＩＰ１０……点検箇所誘導画面、ＤＩＰ１１……ユニットセット誘導画面、ＤＩＰ１２……小束金庫フル検知画面。
【図１】
2015125625.tif 000003
【図２】
2015125625.tif 000004
【図３】
2015125625.tif 000005
【図４】
2015125625.tif 000006
【図５】
2015125625.tif 000007
【図６】
2015125625.tif 000008
【図７】
2015125625.tif 000009
【図８】
2015125625.tif 000010
【図９】
2015125625.tif 000011
【図１０】
2015125625.tif 000012
【図１１】
2015125625.tif 000013
【図１２】
2015125625.tif 000014
【図１３】
2015125625.tif 000015
【図１４】
2015125625.tif 000016
【図１５】
2015125625.tif 000017
【図１６】
2015125625.tif 000018
【図１７】
2015125625.tif 000019
【図１８】
2015125625.tif 000020